(57)【特許請求の範囲】
【請求項１】
下部が開放され、側面に形成された組立面には多数の組立ホールが形成されたハウジングボディーと、
多数のＬＥＤモジュールと、前記ＬＥＤモジュールが実装される多段の傾斜面を有する角度調節部と、前記多段の傾斜面の裏面に備えられた多数の放熱フィンとを含む多数の光源ブロックであって、前記多数の光源ブロックのそれぞれは、前記ハウジングボディーの各組立ホールに、予め設定された配光タイプを具現するように配置されて結合される多数の光源ブロックと、
前記ハウジングボディーの下部をカバーリングする保護カバーと、を含み、
前記保護カバーは、前記ＬＥＤモジュールから照射される光が全反射されるのを防止するために、中央に行くほど前記ハウジングボディーの内側に引込まれるコンベックス部が形成されることを特徴とする、ＬＥＤ照明装置。
【請求項２】
下部が開放され、側面に形成された組立面には多数の組立ホールが形成されたハウジングボディーと、
多数のＬＥＤモジュールと、前記ＬＥＤモジュールが実装される多段の傾斜面を有する角度調節部と、前記多段の傾斜面の裏面に備えられた多数の放熱フィンとを含む多数の光源ブロックであって、前記多数の光源ブロックのそれぞれは、前記ハウジングボディーの各組立ホールに、予め設定された配光タイプを具現するように配置されて結合される多数の光源ブロックと、
前記多数の光源ブロックのそれぞれをカバーリングする多数の個別カバーと、を含み、
前記ハウジングボディーの下部をカバーリングする保護カバーをさらに含み、
前記保護カバーは、前記ＬＥＤモジュールから照射される光が全反射されるのを防止するために、中央に行くほど前記ハウジングボディーの内側に引込まれるコンベックス部が形成されることを特徴とするＬＥＤ照明装置。
【請求項３】
前記多数の放熱フィンは、前記多段の傾斜面の裏面に一体に形成されることを特徴とする、請求項１または２に記載のＬＥＤ照明装置。
【請求項４】
前記光源ブロックがハウジングボディーに結合される時に形成される互いに接触する面には、パッキンが備えられることを特徴とする、請求項１または２に記載のＬＥＤ照明装置。
【請求項５】
前記光源ブロックは、前記ＬＥＤモジュールを保護するための個別カバーをさらに含むことを特徴とする、請求項１に記載のＬＥＤ照明装置。
【請求項６】
前記保護カバーを前記ハウジングボディーに固定支持する固定リングと、前記保護カバーと前記ハウジングボディーとの間の防水のために、前記保護カバーの外周に沿って結合されたパッキンと、をさらに含み、
前記パッキンは、前記保護カバーの外周に沿って多数のシーリング突起を備えることを特徴とする、請求項２に記載のＬＥＤ照明装置。
【請求項７】
前記ハウジングボディーの内側上面に装着され、前記光源ブロックに形成されたコネクタにより連結されて、前記ＬＥＤモジュールに電源を印加するための印刷回路基板をさらに含み、
前記印刷回路基板は、両面基板であり、上面には電子部品が実装され、下面にはアンバー（ａｍｂｅｒ）ＬＥＤモジュールが設置されることを特徴とする、請求項１または２に記載のＬＥＤ照明装置。
【請求項８】
前記印刷回路基板に実装されるパワー素子は、前記パワー素子と印刷回路基板の上面との間に配置されるスペーサーにより支持されて、前記ハウジングボディーの内部上面に接触されることによって放熱されることを特徴とする、請求項７に記載のＬＥＤ照明装置。
【請求項９】
前記多数の光源ブロックは、前記ハウジングボディーの組立ホールと結合するための結合ホールを有することを特徴とする、請求項１または２に記載のＬＥＤ照明装置。
【請求項１０】
前記多数のＬＥＤモジュールは、予め設定された配光曲線を具現するために、互いに異なる照射角度及び明るさに設定されて光が照射されることを特徴とする、請求項１または２に記載のＬＥＤ照明装置。
【請求項１１】
前記ハウジングボディーは、水平方向の断面形状が１２角形の形状からなり、１２面の組立面を有することを特徴とする、請求項１または２に記載のＬＥＤ照明装置。
【発明の詳細な説明】
【技術分野】
【０００１】
本発明は、ＬＥＤ照明装置に係り、特に、ＬＥＤを含む多数の光源ブロックを簡便にハウジングボディーに組み立て、多様な配光曲線を有するように設計及び変更するのが容易であり、光源ブロック別に分離することが可能なので、メンテナンスが容易なブロック組立構造を有するＬＥＤ照明装置に関するものである。
【背景技術】
【０００２】
一般に、街灯は、道路交通の安全と保安のために、街路に沿って設置した照明施設であって、高速道路、市街地の主要道路、商業地区の道路、住宅地区の道路など設置場所に応じて、それに適した種類が用いられる。
前記照明装置は、内側面に反射板が備えられ、街灯電柱に設置されるランプハウジングと、前記ランプハウジングの内部に装着され、光を発光する光源とを含む。街灯電柱の形式は多様であるが、電柱の端部を曲げて、その先端に灯を取り付けるハイウェイ型、電柱の端部に横に枝を伸ばして、そこに灯を取り付けるブラケット型、電柱の頂上に灯を取り付ける柱頭型などがある。
また、前記光源としては、高圧水銀灯、蛍光灯、ナトリウム灯、普通の電球などが用いられる。このような街灯は、一定に定められた色相の光源によって、白色、黄色または青色などに発光する。もちろん、街灯の電力効率や、光の強度または周囲の雰囲気に応じて選択されることもある。
一方、上記の街灯は、道路に設置する際に道路面に配光される配光を、道路を最も效率的に照明できる形状に設計され、バルブ型ランプを使用する場合、配光は、ランプハウジングの内側面に備えられる反射板の反射角度を調節することで、道路照明の設計の際に適した配光で照明されるようにしている。
一般に、道路を照明する際に主に用いられる配光は、図１０に示すように、第１配光タイプ乃至第５配光タイプに区分され、一部の特殊な部分を除いては、第２配光タイプ乃至第４配光タイプの配光曲線（ｌｉｇｈｔ  ｄｉｓｔｒｉｂｕｔｉｏｎ  ｃｕｒｖｅ）を主に用いて大部分の道路を效率的に照明している。
しかし、上記従来の街灯において光源として用いられる各種ランプ、すなわち、高圧水銀灯、蛍光灯、ナトリウム灯は、最初の製造の時にその明るさ及び拡散範囲が決まっているため、ユーザーがこれを人為的に調整できないという短所があり、また寿命が非常に短く、電力の消耗量が多いという短所があった。
このような点を勘案して、最近では光源としてＬＥＤ（Ｌｉｇｈｔ  Ｅｍｉｔｔｉｎｇ  Ｄｉｏｄｅ）を用いた照明装置が提案されており、技術の発展で電力消耗量が少なく、且つ高輝度で発光するＬＥＤが開発され、その使用が漸次拡散している趨勢にある。高輝度ＬＥＤは、これから照射される光は直進性が強いため、広い地域を照射することができるようにＬＥＤチップをパッケージングする時、ＬＥＤチップから発光される光を分散させて、光の照射範囲を、例えば、１２°レンズ、２５°レンズ、３０°レンズ、４５°レンズなどに区分して使用可能なようにするレンズ部（図示せず）を含んでいる。
それにも拘わらず、ＬＥＤを用いた照明装置は、照射角が３６０度であるバルブ型光源に比べて相対的に照射角が小さいため、ハウジングの上部プレート部の下部面に複数のＬＥＤモジュールを装着して、ハウジングの側面部の内側に備えられる反射板を用いて道路を照明するのが一般的である。
前記照明装置は、一定角度以内で歩行者や運転者がＬＥＤモジュールを直接に見ることができない視野角度（Ｃｕｔ−ｏｆｆ−ａｎｇｌｅ）を確保するために、上部プレート部の下部面にＬＥＤモジュールを複数装着している。
ところで、このような高輝度ＬＥＤを用いた街灯は、光源の光が歩行や運転の時に歩行者または運転者の目に直接に見える場合、歩行や運転を妨げて事故を誘発するおそれがあるため、視野角度（Ｃｕｔ−ｏｆｆ−ａｎｇｌｅ）の確保が必ず必要になる。
しかし、前記ＬＥＤは、従来のランプ類に比べて半永久的と言えるほどの長い寿命を有しているが、ＬＥＤを複数組み合わせることによってその明るさが決定されるため、これを反射板を通じて配光を形成する場合、配光面積が狭く、明るさが小さいだけでなく、道路面を效率的に照明できる配光、すなわち、前記第１乃至第５配光タイプの配光を具現するのに限界があった。したがって、前記ＬＥＤを用いた照明装置は、製造の時に理想的な配列は除外され、単に反射板に依存して明るさを提供することになるため、道路照明が非効率的なので広く使用できないという弊害があった。
さらに、複数のＬＥＤから発散する熱を效率的に発散しにくいため、熱により発光効率が低下するだけでなく、部品の損傷が発生するなどの問題点があった。
また、従来のＬＥＤを用いた街灯や通常の街灯は、ハウジング内に設置されるランプを保護するために透明な保護カバーを使用した。ところで、このような保護カバーは、主にハウジングの外側に突出するコンケイブタイプ（ｃｏｎｃａｖｅ  ｔｙｐｅ）からなるので、ハウジングと保護カバーを結合した状態では、街灯が上下に突出した形状になり、全体的に体積が大きくなるため、保管及び運搬が容易でないという問題があった。
【発明の概要】
【発明が解決しようとする課題】
【０００３】
したがって、本発明は、上記のような問題点を解決するために提案されたもので、その目的は、多数の光源ブロックをそれぞれの組立面に個別的に組み立てることが可能なので、多様な配光特性の設計及び変更が容易な、ブロック組立構造を有するＬＥＤ照明装置を提供することにある。
本発明の他の目的は、多数のＬＥＤモジュールを含む多数の光源ブロックをそれぞれ点光源として利用して、所望の配光特性を具現するように、照射角度と明るさが互いに異なる光源ブロックを選択的にハウジングボディーの組立面に配置することが可能な、ブロック組立構造を有するＬＥＤ照明装置を提供することにある。
本発明のまた他の目的は、多数のＬＥＤモジュールが実装された多数の光源ブロックを、ハウジングボディーの多数の組立ホールに組み立て、所望の照射角度をなすことができ、それぞれの光源ブロックを個別的に分離することが可能なので、メンテナンスが容易な、ブロック組立構造を有するＬＥＤ照明装置を提供することにある。
本発明のまた他の目的は、ハウジングボディーにそれぞれＬＥＤモジュールを実装した多数個の光源ブロックに、放熱フィンを一体に形成することによって、ＬＥＤモジュールと放熱フィンとの間の界面を最小化して、ＬＥＤから放熱フィンまでの熱伝逹の効率に優れて、放熱効果を極大化することのできる、ブロック組立構造を有するＬＥＤ照明装置を提供することにある。
【課題を解決するための手段】
【０００４】
上記目的を達成するために、本発明の一様態によれば、下部が開放され、側面に形成された組立面には多数の組立ホールが形成されたハウジングボディーと；多数のＬＥＤモジュールと、前記ＬＥＤモジュールが実装される多段の傾斜面を有する角度調節部と、前記多段の傾斜面の裏面に備えられた多数の放熱フィンとを含む多数の光源ブロックであって、前記多数の光源ブロックのそれぞれは、前記ハウジングボディーの各組立ホールに、予め設定された配光タイプを具現するように配置されて結合される多数の光源ブロックと；前記ハウジングボディーの下部をカバーリングする保護カバーと；を含むことを特徴とする、ＬＥＤ照明装置を提供する。
前記光源ブロックは、前記ＬＥＤモジュールを保護するための個別カバーをさらに含む。
前記保護カバーは、ＬＥＤモジュールから照射される光が全反射されることを最小化するために、中央に行くほど前記ハウジングボディーの内側に引込まれるコンベックス部が形成される。
前記保護カバーを前記ハウジングボディーに固定支持する固定リングと、前記保護カバーと前記ハウジングボディーとの間の防水のために、前記保護カバーの外周に沿って結合されたパッキンと、をさらに含み、前記パッキンは、前記保護カバーの外周に沿って多数のシーリング突起を備える。
本発明の他の様態によれば、下部が開放され、側面に形成された組立面には多数の組立ホールが形成されたハウジングボディーと；多数のＬＥＤモジュールと、前記ＬＥＤモジュールが実装される多段の傾斜面を有する角度調節部と、前記多段の傾斜面の裏面に備えられた多数の放熱フィンとを含む多数の光源ブロックであって、前記多数の光源ブロックのそれぞれは、前記ハウジングボディーの各組立ホールに、予め設定された配光タイプを具現するように配置されて結合される多数の光源ブロックと；前記多数の光源ブロックのそれぞれをカバーリングする多数の個別カバーと；を含む、ＬＥＤ照明装置を提供する。
前記ハウジングボディーは、１２角形の形状で１２面の組立面を有し、組立面には組立ホールを有し、前記光源ブロックに形成された結合ホールとハウジングボディーの結合ホールに、結合ピースが締結されて組み立てられる。
前記光源ブロックがハウジングボディーに組み立てられる時に形成された界面にパッキンを結合する。
前記ハウジングボディーの内側上面に間隔を置いて装着され、前記光源ブロックに形成されたコネクタにより連結されて、前記ＬＥＤモジュールに電源を印加するための印刷回路基板をさらに含み、前記印刷回路基板は、両面基板であり、上面には電子部品が実装され、下面にはアンバー（ａｍｂｅｒ）ＬＥＤモジュールが設置される。
前記印刷回路基板に実装されるパワー素子は、前記パワー素子と印刷回路基板の上面との間に配置されるスペーサーにより支持されて、ハウジングの内部上面に接触されることによって放熱される。
前記多数の光源ブロックは、互いに同一の構造を有し、光源ブロックの各角度調節部の配向方向は、ハウジングボディーの中心軸から外れた方向に設定される。
【発明の効果】
【０００５】
上記のように、本発明においては、各ブロックごとにＬＥＤモジュールを備えたブロック構造の多数の光源ブロックをハウジングボディーに組み立てるので、組立、分離、及び設計変更が容易であり、多数の光源ブロックに多様な角度を提供する角度調節部を一体に形成すると共に、ハウジングボディーの互いに異なる円周面に互いに異なる照射角をもって組み立てられることによって、所望の配光タイプの照明装置を具現できるという利点がある。
また、ハウジングボディーの多数の組立ホールの外部に、放熱フィンが一体に形成された多数の光源ブロックを組み立て、界面を最小化することができるので、ＬＥＤから放熱フィンまでの熱伝逹に優れて、放熱効果をさらに増大させることができる。
また、本発明は、多数のＬＥＤを放熱フィンと一体に多数の光源ブロックを形成して、ハウジングボディーに組み立てるので、ＬＥＤのメンテナンスの時、分離及び交替が容易であるという利点がある。
さらに、多数の光源ブロックをハウジングボディーの組立ホールに結合させる時、光源ブロックにＬＥＤ駆動用電源を印加する雄コネクタが、印刷回路基板（ＰＣＢ）に設置された雌コネクタに直ちに結合される構造を採用して、多数の配線を結線し、組立連結する工程を省略して組立生産性を高めることができる。
【図面の簡単な説明】
【０００６】
【図１】本発明の一実施例に係るＬＥＤ照明装置を示す斜視図である。
【図２】本発明の一実施例に係るＬＥＤ照明装置を示す分解斜視図である。
【図３】本発明の一実施例に係るＬＥＤ照明装置を示す底面図である。
【図４】本発明の一実施例に係るＬＥＤ照明装置を示す平面図である。
【図５】本発明の一実施例に係るＬＥＤ照明装置のハウジングボディーと光源ブロックを説明するための斜視図である。
【図６】図４に示されたＶＩ−Ｖ線に沿う断面図である。
【図７】光源ブロックを示す分解斜視図である。
【図８】図７の光源ブロックを示す斜視図である。
【図９】保護カバーを示す断面図である。
【図１０】配光タイプ別の配光曲線を示す図である。
【発明を実施するための形態】
【０００７】
以下、添付の図面を参考して、本発明の一実施例に係るブロック組立構造を有するＬＥＤ照明装置の構成を説明する。
本実施例では、ブロック組立構造を有するＬＥＤ照明装置１００が街灯に適用されたことを例に挙げて説明する。しかし、本発明のＬＥＤ照明装置１００は、街灯のみならず、室内外駐車場、室内照明、トンネルなどの照明にも適用可能である。
図１を参考すると、ＬＥＤ照明装置１００は、支柱１０の上端一側から延びた連結部１１１に固定して設置することができる。ＬＥＤ照明装置１００は、例えば、１２角形の形状であるハウジングボディー１１０の外部に沿って多数の放熱フィン１１３が１２面に沿って上下方向に延長して配列される。
ハウジングボディー１１０は、照明のために下部が開放され、熱伝逹及び剛性を考慮して、熱伝導性に優れた金属、例えば、アルミニウムまたはアルミニウム合金からなり、押出またはダイカスト方式で製作することができる。ハウジングボディー１１０は、上側に連結部１１１が延長形成され、連結部１１１は、ハウジングボディー１１０の内部から引き出されて所定の電源配線などが通過するように、所定の空間部（図示せず）を備える。前記連結部１１１は、ＬＥＤ照明装置１００が適用される分野に応じて多様に変形可能である。
図２の分解斜視図を参考すると、前記ＬＥＤ照明装置１００は、１２角形の形状のハウジングボディー１１０と、それぞれ角度調節部１３０に実装されたＬＥＤモジュール１４０を一体に配置した多数の光源ブロック１１０ａ、１１０ｂ、１１０ｃと、印刷回路基板（以下、ＰＣＢという）１５０と、保護カバー１６０と、パッキン１７０と、固定リング１８０と、を含む。
ここで、ハウジングボディー１１０の１２面の各面に嵌合されて組み立てられる多数の光源ブロック１１０ａ、１１０ｂ、１１０ｃの内部面には、互いに異なる傾斜面を有する角度調節部１３０が形成されており、前記それぞれの角度調節部１３０には、多数のＬＥＤモジュール１４０が実装され、前記多数の光源ブロック１１０ａ、１１０ｂ、１１０ｃの外部面には、放熱フィン１１３が形成されている。
このように、各光源ブロック１１０ａ、１１０ｂ、１１０ｃは、角度調節部１３０と放熱フィン１１３を一体に形成することによって、ＬＥＤモジュール１４０から放熱フィン１１３までの界面を最小化して、ＬＥＤ１４３からの熱が放熱フィン１１３に直接伝達されるので、放熱効果を極大化することができる。
図３及び図４を参考すると、ハウジングボディー１１０は、下部が開放された１２角形の上部から下側に行くほど直径が増加する１２面からなる収容溝を備える。収容溝のハウジングボディー１１０の内側の１２面は、１２個の光源ブロック１１０ａ、１１０ｂ、１１０ｃが組み立てられる組立面１１４ごとに組立ホール１１２が形成されている。このようなハウジングボディー１１０の形状は、図５を参考にして詳細に説明する。
図３を見ると、ハウジングボディー１１０の内側には、１１個の光源ブロック１１０ａ、１１０ｂ、１１０ｃが組立ホール１１２に嵌合されて組み立てられており、残りの１個の組立ホール１１２には、光源ブロックが組み立てられていない状態を示す。
前記多数の光源ブロック１１０ａ、１１０ｂ、１１０ｃは、互いに同一の構造を有し、光源ブロック１１０ａ、１１０ｂ、１１０ｃに形成されたそれぞれの角度調節部１３０の配向方向Ｘ１〜Ｘ５は、ハウジングの中心軸１０２から外れた方向に設定される。このとき、光源ブロック１１０ａ、１１０ｂ、１１０ｃのそれぞれの角度調節部１３０は、ハウジングボディー１１０との傾斜角αによって照射領域の大きさが決定され得る。
図３に示されたように、それぞれの角度調節部１３０の配向方向Ｘ１〜Ｘ５は、いずれもハウジングの中心軸１０２から外れた方向に設定されているが、具現しようとする照明器具の配光曲線によって、これらのうち一部は中心軸１０２に向かうように設定されてもよい。そのためには、それぞれの角度調節部１３０の傾斜角αを互いに異なるように調節して配置すれば良い。
図１０を参考してより具体的に説明すると、例えば、第４配光タイプの照明器具を具現しようとする場合は、連結部１１１から延びた基準線１０１を中心に左右側の大部分の角度調節部１３０が、前方の組立ホール１１２側に向かうように配向方向Ｘ１、Ｘ２、Ｘ３、Ｘ４、Ｘ５が設定され、正方形の形状をなす第５配光タイプの照明器具を具現するときは、角度調節部１３０の配向方向Ｘ１、Ｘ２、Ｘ３、Ｘ４、Ｘ５がいずれも中心軸１０２に向かうように設定される。
一方、前記それぞれの角度調節部１３０は、具現しようとする照明器具の配光曲線によって、ＬＥＤモジュール１４０が装着される少なくとも一つの傾斜面１３３ａ、１３３ｂを有する多段構造となっている。
例えば、第３または第４配光タイプを具現しようとする場合、前方に位置した組立ホール１１２は、照射方向が後方に向かっているので、角度調節部１３０が挿入される場合、１段の傾斜面を備え、前方に位置した組立ホール１１２と対向する角度調節部１３０ａは、照射方向が前方に向かっているので、３段の傾斜面を備えて、それぞれＬＥＤモジュール１４０が装着されるように設計されてもよい。
また、後方に位置した角度調節部１３０ａの左右側に位置した角度調節部には、少なくとも２段の傾斜面１３３ａ、１３３ｂを備えてＬＥＤモジュール１４０が設置され、前方に位置した組立ホール１１２の左右側に位置した角度調節部１３０には、１段の傾斜面が配置されて１個のＬＥＤモジュール１４０が装着されたり、またはＬＥＤモジュール１４０が設置されなくてもよい。
上記のように、本発明のＬＥＤ照明装置では、多数のＬＥＤモジュール１４０が設置される多数の角度調節部１３０を、ハウジングボディー１１０の組立ホール１１２にブロック組み立て、多数の角度調節部１３０に装着され、互いに異なる照射角及び明るさに設定可能な多数のＬＥＤモジュール１４０により多様な配光曲線を具現することができる。
図４を見ると、ハウジングボディー１１０の外側には、１２面の放熱フィン１１３が放射状に突出形成される。
ハウジングボディー１１０は、図４のように、上部面が１２角形の形状をなすので、水平方向の断面形状が１２角形からなるが、放熱フィン１１３またはハウジングボディー１１０の外部形状を変更することで、断面形状が円形、楕円形（ｏｖａｌ  ｔｙｐｅ）、正方形、矩形または１２角形以外の多様な形状の多角形からなってもよい。
図５を参考すると、ハウジングボディー１１０は、１２角形の形状で１２面の組立面１１４を通じて下部に延長される。各組立面１１４には、多数の光源ブロック１１０ａ、１１０ｂ、１１０ｃが組み立てられる組立ホール１１２が形成されている。また、組立ホール１１２の上下部には２個ずつの結合ホール１１２ａを有し、光源ブロック１１０ａ、１１０ｂ、１１０ｃは、自身の結合ホール１１２ｂとハウジングボディー１１０の結合ホール１１２ａに、結合ピース１１２ｃが締結されることによって、ハウジングボディー１１０に組み立てられる。すなわち、光源ブロック１１０ａの結合ホール１１２ｂは、ハウジングボディー１１０の結合ホール１１２ａと同一直径で、２個の結合ホール１１２ａ、１１２ｂに結合ピース１１２ｃが締結されて組立完了する。
この時、光源ブロック１１０ａは、角度調節部１３０の上部に、金属基板１４１に実装された多数のＬＥＤ１４３からなったＬＥＤモジュール１４０を含み、各ＬＥＤモジュール１４０を保護するための個別カバー１９０を有する。
また、光源ブロック１１０ａは、ＰＣＢ１５０と金属基板１４１をコネクティングするための雄コネクタ１５２を備え、雄コネクタ１５２は、ＰＣＢ１５０の雌コネクタ（図示せず）に連結される。
図７は、ハウジングボディー１１０に組み立てられる光源ブロック１１０ａの分解斜視図で、図８は、斜視図である。
図７及び図８を参考すると、本実施例の光源ブロック１１０ａは、多数の放熱フィン１１３が外部に形成され、２つの角度調節部１３０に実装される２つのＬＥＤモジュール１４０を含む。ここで、光源ブロック１１０ａに一体に形成された角度調節部１３０は、互いに異なる傾斜角を有する２段の傾斜面１３３ａ、１３３ｂを有する。
前記角度調節部１３０は、前方に実装されるＬＥＤモジュール１４０の数に応じて、略矩形または正方形の断面形状を有する六面体からなることができる。
前記角度調節部１３０の前方には、ＬＥＤ照明装置１００から所望の配光特性で照明が行われるように、多数のＬＥＤモジュール１４０を所定の角度に設置するための傾斜面１３３ａ、１３３ｂが形成される。この場合、前記傾斜面１３３ａ、１３３ｂは、少なくとも１個または２個以上からなる。
ここで、多数のＬＥＤモジュール１４０は、略矩形形状の金属基板（ｍｅｔａｌ  ＰＣＢ）１４１と、金属基板１４１の外表面に実装された多数のＬＥＤ１４３とを備える。金属基板１４１は、熱伝導性に優れた素材（例えば、アルミニウム、銅、鉄、またはこれらの合金）の板材からなることが好ましく、所定の固定ピース１４５を通じて角度調節部１３０の傾斜面１３３ａ、１３３ｂにそれぞれ固定される。
この場合、金属基板１４１には、固定ピース１４５が貫通する貫通孔１４７が形成され、傾斜面１３３ａ、１３３ｂには、固定ピース１４５が締結される締結孔１３７が形成される。以後、ＬＥＤモジュール１４０を保護するための個別カバー１９０が締結され、光源ブロック１１０ａがハウジングボディー１１０に組み立てられた時、界面でのシーリング性を良くするためにパッキン１５４を結合することができる。
前記角度調節部１３０は、ハウジングボディー１１０と同一の金属材、好ましくは、熱伝逹及び剛性を考慮して、熱伝導性に優れた金属、例えば、アルミニウムまたはアルミニウム合金からなり、押出またはダイカスト方式で製作されても良い。
前述のように形成されたハウジングボディー１１０のシーリング構造を、図２及び図６を参考して説明する。
図２及び図６を参考すると、ハウジングボディー１１０の内部上面１１８には、所定の電子部品１５５が実装された印刷回路基板（ＰＣＢ）１５０を固定するための多数の固定突起１１７が形成され、固定突起１１７には、固定ピース１５３が締結される締結溝１１７ａがそれぞれ形成される。この場合、ＰＣＢ１５０は、多数の固定突起１１７に対応する位置にそれぞれ多数の貫通孔１５１が形成され、多数の固定ピース１５３により多数の固定突起１１７に固定される。このとき、多数の固定突起１１７は、多数のＬＥＤモジュール１４０から発生し、ハウジングボディー１１０に伝達される高温の熱によって、ＰＣＢ１５０のパターンが毀損されたり、またはＰＣＢ１５０に実装された電子部品１５５が誤作動を起こさないように、ＰＣＢ１５０とハウジングボディー１１０の内部上面１１８との間に所定の間隔を置くためのスペーサーの役割を果たす。
一方、ＰＣＢ１５０は、ＦＲ４のような両面基板を使用することができ、ＳＭＰＳ（スイッチングモードパワーサプライ）方式の電源回路と定電流／定電圧回路などが備えられる。この場合、ＰＣＢ１５０に実装されるパワー素子１５６は、スポンジ１５７により支持された状態で、放熱のためにハウジングボディー１１０の内部上面１１８に接触される。また、ＰＣＢ１５０は、ＬＥＤ照明装置１００の色相を具現するために多数のＬＥＤが組み合わされるとき、クール（ｃｏｏｌ）／ホワイト（ｗｈｉｔｅ）及びウォーム（ｗａｒｍ）／ホワイト（ｗｈｉｔｅ）以外に、橙色を発現できるように、ＰＣＢ１５０の下面に、アンバー（ａｍｂｅｒ）ＬＥＤ（図示せず）を、ハウジングボディー１１０の収容溝の側面に設置される多数のＬＥＤモジュール１４０と組み合わせて設置することができる。ハウジングボディー１１０の組立ホール１１２に光源ブロック１１０ａが組立完了した後、パッキン１５４によりシーリング性を向上させることができる。
ＬＥＤ照明装置１００は、それぞれの光源ブロック１１０ａ〜１１０ｃが個別カバー１９０を備えると共に、図６のように、前面開放部をシーリングするための保護カバー１６０、パッキン１７０及び固定リング１８０を備えることができ、以下にこれらのそれぞれについて説明する。
保護カバー１６０は、ハウジングボディー１１０の開放部に設置され、ハウジングボディー１１０内に異物または水分が流入するのを防止し、透明または半透明ガラス、または合成樹脂材質で形成される。保護カバー１６０は、図９のように、略中央部に行くほど上側に緩やかに突出されるコンベックス部（ｃｏｎｖｅｘ  ｐｏｒｔｉｏｎ）１６１を備えている。コンベックス部１６１は、多数のＬＥＤ１４３から発散する光の全反射及び透過を考慮して、その曲率を設定することが好ましい。上記のように、保護カバー１６０にコンベックス部１６１を備える場合、平坦型カバーに比べて６％以上の透過率を向上させることができるようになる。
さらに、保護カバー１６０は、ハウジングボディー１１０に装着する時にコンベックス部１６１がハウジングボディー１１０の内側に引込まれるので、従来の照明装置のように保護カバーが外部に突出することに比べて体積を減らすことができる。
パッキン１７０は、リング状のゴム材質からなり、内周に沿って保護カバー１６０の外周端１６３が挿入される挿入溝１７１が形成される。また、パッキン１７０は、外周に沿って多数のシーリング突起１７３が形成され、多数のシーリング突起１７３は、ハウジングボディー１１０及び固定リング１８０と接触しながらシーリング性を向上させることができる。
固定リング１８０は、保護カバー１６０をハウジングボディー１１０に固定させるためにリング状からなり、略ハウジングボディー１１０の下端に対応する形状を有する。前記固定リング１８０は、ハウジングボディー１１０のようにアルミニウム材質で形成されることが好ましい。固定リング１８０は、ハウジングボディー１１０との結合力を向上させるために、ハウジングボディー１１０の下端に沿って形成された結合溝１１８に結合される結合突起１８２を備え、多数の固定ピース１８５によってハウジングボディー１１０に固定設置される。これによって、固定リング１８０は、支持突起１８１によりパッキン１７０及び保護カバー１６０をハウジングボディー１１０に押圧固定する。この場合、固定リング１８０には、多数の固定ピース１８５が貫通する貫通孔１８３が形成され、ハウジングボディー１１０には、固定ピース１８５が締結される多数の締結孔１１９がそれぞれ形成される。
上記の本発明の実施例に係るＬＥＤ照明装置１００は、ハウジングボディー１１０の内側にＬＥＤモジュール１４０が設置された多様な角度調節部１３０の組合せ形態を変形させて、多様な配光タイプ、例えば、図１０に示した第２乃至第５配光タイプを容易に具現できるので、多様な用途の照明装置を設計する時、設計自由度が高くなる。
また、多数のＬＥＤモジュール１４０が実装された多数の光源ブロックを、ハウジングボディー１１０の多数の組立ホール１１２に組立て、それぞれの光源ブロック１１０ａ〜１１０ｃを個別的に分離するのが可能なので、メンテナンスが容易で、ＬＥＤから放熱フィンまでの界面を最小化して、熱伝逹の効率に優れて、放熱効果を極大化することができる。
前述の実施例では、それぞれの光源ブロック１１０ａ〜１１０ｃが個別カバー１９０を備えると共に、図６のように、全面開放部をシーリングするための保護カバー１６０を備えるのを例示したが、全面開放部をシーリングせずに、それぞれの光源ブロック１１０ａ〜１１０ｃが個別カバー１９０のみを備えることも可能である。また、個別カバー１９０を備えずに、保護カバー１６０で全面開放部のみをシーリングすることも可能である。
以上のように、本発明は、たとえ限定された実施形態と図面によって説明されたが、本発明はこれに限定されず、本発明の属する技術分野における通常の知識を有する者によって、本発明の技術思想と以下に記載される特許請求の範囲の均等範囲内で多様な修正及び変形が可能であるのはもちろんである。
【産業上の利用可能性】
【０００８】
本発明の照明装置は、多様な配光タイプの道路照明用街灯、室内灯、駐車場用灯に適用される。
【図１】
0005625203.tif 000002
【図２】
0005625203.tif 000003
【図３】
0005625203.tif 000004
【図４】
0005625203.tif 000005
【図５】
0005625203.tif 000006
【図６】
0005625203.tif 000007
【図７】
0005625203.tif 000008
【図８】
0005625203.tif 000009
【図９】
0005625203.tif 000010
【図１０】
0005625203.tif 000011